(57)【要約】【課題】安定で精度の良い特定のデジタル・トランク・ユニットを優先的にマスター・クロック源として採用し、かつ、従来型との互換性を保証する。【解決手段】あらかじめ定めた高精度で優先度の高い優先デジタル・トランク・ユニットと、優先度の高くはない精度の悪い非優先デジタル・トランク・ユニットとがあり、優先および非優先デジタル・トランク・ユニットは、非優先ビジー信号を非優先ビジー信号共通線に接続し、同時に、優先デジタル・トランク・ユニットは、優先ビジー信号を優先ビジー信号共通線に接続して、優先ビジー信号を非優先ビジー信号に優先させるように処理する。優先ビジー信号が優先ビジー信号共通線に存在しない場合には、非優先デジタル・トランク・ユニットが、マスター・クロック候補をマスター・クロックとして出力することを指示するようにマスター・クロック調停装置を構成した。  【選択図】図1
2009016992.tif 000002
【特許請求の範囲】
【請求項１】
あらかじめ定めた優先度の高い優先ビジー信号（ＢＰ1，2）を優先度の高い優先ビジー信号共通線（ＢＰＣ）に接続し、優先度の高くはない非優先ビジー信号（Ｂ0，ｎ）を非優先ビジー信号共通線（ＢＣ）に接続することができ、デジタル回線（Ｄ）よりクロック抽出した場合にマスター・クロック（ＭＣ）となり得るマスター・クロック候補（ＭＣＣ）を出力可能な少なくとも1つの優先デジタル・トランク・ユニット処理（ＤＴＰ1，2）をし、
優先度の高くはない非優先ビジー信号（Ｂ0，ｎ）を前記非優先ビジー信号共通線（ＢＣ）に接続することができ、デジタル回線（Ｄ）よりクロック抽出した場合にマスター・クロック（ＭＣ）となり得るマスター・クロック候補（ＭＣＣ）を出力可能な少なくとも1つの非優先デジタル・トランク・ユニット処理（ＤＴＰ0，ｎ）をし、
前記優先デジタル・トランク・ユニット処理（ＤＴＰ1，2）において、
前記優先ビジー信号（ＢＰ1，2）が前記優先ビジー信号共通線（ＢＰＣ）に存在しないことを１回検出した場合には（ｃ1）、前記非優先デジタル・トランク・ユニット（ＤＴＰ0，ｎ）がマスター・クロック（ＭＣ）を出力するマスター・クロック源となることを防止するために前記非優先ビジー信号（Ｂ0，ｎ）とは区別のつかない擬似非優先ビジー信号を前記非優先ビジー信号共通線（ＢＣ）に出力し（ｄ1）、前記優先ビジー信号（ＢＰ）が前記優先ビジー信号共通線（ＢＰＣ）に存在しないことを続けて2回検出した場合には（ｃ2）、前記非優先ビジー信号（Ｂ0，ｎ）を前記非優先ビジー信号共通線（ＢＣ）に出力すると同時に前記優先ビジー信号（ＢＰ）を前記優先ビジー信号共通線（ＢＰＣ）に出力する（ｄ2）ために優先度判別処理（33）をする
マスター・クロック調停方法。
【請求項２】
前記非優先デジタル・トランク・ユニット処理（ＤＴＰ0，ｎ）において、
前記擬似非優先ビジー信号を確認した場合は、前記非優先ビジー信号共通線（ＢＣ）に出力している前記非優先ビジー信号（Ｂ0〜ｎ）の出力を停止するように擬似非優先ビジー信号動作処理をする
請求項1のマスター・クロック調停方法。
【請求項３】
前記優先度判別処理（33）において、
前記優先ビジー信号（ＢＰ）および前記非優先ビジー信号（Ｂ0，ｎ）のそれぞれの存在の有無を判別し、その結果を判別されたビジー信号（ＳＢ）として出力する
請求項1のマスター・クロック調停方法。
【請求項４】
前記優先度判別処理（33）をし、
前記デジタル回線（Ｄ）とＰＣＭ信号（ＰＣＭ）とのインタフェースをし、前記デジタル回線（Ｄ）から周期信号（ＳＹ）を抽出するデジタル回線インタフェース処理（31）をし、
前記判別されたビジー信号（ＳＢ）と前記周期信号（ＳＹ）とを受けて、前記マスター・クロック候補（ＭＣＣ1，2）を前記マスター・クロック（ＭＣ）として出力するためのトランク・アービタ処理（32）をする、
請求項3のマスター・クロック調停方法。
【請求項５】
前記マスター・クロック（ＭＣ）を受けて、前記優先デジタル・トランク・ユニット処理（ＤＴＰ1，2）および前記非優先デジタル・トランク・ユニット処理（ＤＴＰ0，ｎ）において必要な制御タイミングとするための前記マスター・クロック（ＭＣ）に同期したサンプリング・タイミング基準信号（ＳＴ）を供給するシステム・タイミング制御ユニット処理（21）をする
請求項1のマスター・クロック調停方法。
【請求項６】
前記システム・タイミング制御ユニット処理（21）において、
前記マスター・クロック（ＭＣ）にフェーズ・ロック・ループ（ＰＬＬ）により位相同期して前記サンプリング・タイミング基準信号（ＳＴ）を作成する
請求項5のマスター・クロック調停方法。
【請求項７】
あらかじめ定めた優先度の高い優先ビジー信号（ＢＰ1，2）を優先度の高い優先ビジー信号共通線（ＢＰＣ）に接続し、優先度の高くはない非優先ビジー信号（Ｂ0，ｎ）を非優先ビジー信号共通線（ＢＣ）に接続することができ、デジタル回線（Ｄ）よりクロック抽出した場合にマスター・クロック（ＭＣ）となり得るマスター・クロック候補（ＭＣＣ）を出力可能な少なくとも1つの優先デジタル・トランク・ユニット手段（ＤＴＰ1，2）と、
優先度の高くはない非優先ビジー信号（Ｂ0，ｎ）を前記非優先ビジー信号共通線（ＢＣ）に接続することができ、デジタル回線（Ｄ）よりクロック抽出した場合にマスター・クロック（ＭＣ）となり得るマスター・クロック候補（ＭＣＣ）を出力可能な少なくとも1つの非優先デジタル・トランク・ユニット手段（ＤＴＰ0，ｎ）とを含み、
前記優先デジタル・トランク・ユニット手段（ＤＴＰ1，2）が、
前記優先ビジー信号（ＢＰ1，2）が前記優先ビジー信号共通線（ＢＰＣ）に存在しないことを１回検出した場合には（ｃ1）、前記非優先デジタル・トランク・ユニット（ＤＴＰ0，ｎ）がマスター・クロック（ＭＣ）を出力するマスター・クロック源となることを防止するために前記非優先ビジー信号（Ｂ0，ｎ）とは区別のつかない擬似非優先ビジー信号を前記非優先ビジー信号共通線（ＢＣ）に出力し（ｄ1）、前記優先ビジー信号（ＢＰ）が前記優先ビジー信号共通線（ＢＰＣ）に存在しないことを続けて2回検出した場合には（ｃ2）、前記非優先ビジー信号（Ｂ0，ｎ）を前記非優先ビジー信号共通線（ＢＣ）に出力するための優先度判別手段（33）を含んでいる
マスター・クロック調停装置。
【請求項８】
前記非優先デジタル・トランク・ユニット手段（ＤＴＰ0，ｎ）が、
前記擬似非優先ビジー信号を確認した場合は、前記非優先ビジー信号共通線（ＢＣ）に出力している前記非優先ビジー信号（Ｂ0〜ｎ）の出力を停止するように擬似非優先ビジー信号動作をする
請求項7のマスター・クロック調停装置。
【請求項９】
前記優先度判別手段（33）が、
前記優先ビジー信号（ＢＰ）および前記非優先ビジー信号（Ｂ0，ｎ）のそれぞれの存在の有無を判別し、その結果を判別されたビジー信号（ＳＢ）として出力する
請求項7のマスター・クロック調停装置。
【請求項１０】
前記優先度判別手段（33）が、
前記デジタル回線（Ｄ）とＰＣＭ信号（ＰＣＭ）とのインタフェースをし、前記デジタル回線（Ｄ）から周期信号（ＳＹ）を抽出するデジタル回線インタフェース手段（31）と、
前記判別されたビジー信号（ＳＢ）と前記周期信号（ＳＹ）とを受けて、前記マスター・クロック候補（ＭＣＣ1，2）を前記マスター・クロック（ＭＣ）として出力するためのトランク・アービタ手段（32）とを含んでいる
請求項9のマスター・クロック調停装置。
【請求項１１】
前記マスター・クロック（ＭＣ）を受けて、前記優先デジタル・トランク・ユニット手段（ＤＴＰ1，2）および前記非優先デジタル・トランク・ユニット手段（ＤＴＰ0，ｎ）において必要な制御タイミングとするための前記マスター・クロック（ＭＣ）に同期したサンプリング・タイミング基準信号（ＳＴ）を供給するシステム・タイミング制御ユニット手段（21）を含んでいる
請求項7のマスター・クロック調停装置。
【請求項１２】
前記システム・タイミング制御ユニット手段（21）が、
前記マスター・クロック（ＭＣ）にフェーズ・ロック・ループ（ＰＬＬ）により位相同期して前記サンプリング・タイミング基準信号（ＳＴ）を作成する
請求項11のマスター・クロック調停装置。
【発明の詳細な説明】
【技術分野】
【０００１】
本発明は、デジタル通信路のマスター・クロック調停方法と装置に関する。具体的には、ＰＢＸシステムにおいて複数のデジタル・トランク・ユニットを接続する場合に、複数のマスター・クロック候補の中から、システム全体の同期を制御するための1つのマスター・クロックを得るための改良されたマスター・クロック調停方法と装置を提供せんとするものである。
【背景技術】
【０００２】
図9は、従来のマスター・クロック調停の概念を説明するためのマスター・クロック調停概念図である。ＰＢＸシステムにおけるデジタル・トランク・ユニットＤＴ0〜ｎを使用した通話では、ＰＢＸシステム全体の動作クロックを、デジタル・トランク・ユニットＤＴ0〜ｎから抽出し選択したマスター・クロックＭＣに従属同期させることが要求される。
【０００３】
動作を開始したデジタル・トランク・ユニットＤＴ0〜ｎのそれぞれは、マスター・クロックＭＣから作成されたサンプリング・タイミング基準信号ＳＴを基準にしてデジタル回線からマスター・クロック候補ＭＣＣの抽出をしている。マスター・クロック候補ＭＣＣを抽出することができたデジタル・トランク・ユニットＤＴ0〜ｎは、ビジー状態ではないときに、マスター・クロック候補ＭＣＣｉ（ｎ＝ｉ）をオープン・ドレイン方式で出力することができる。
【０００４】
ビジー状態ではないときに２回続けてマスター・クロック候補ＭＣＣｉを出力すると、そのデジタル・トランク・ユニットＤＴｉは、ビジー信号を出力（ビジー状態に）して他のデジタル・トランク・ユニットＤＴに知らしめると同時に、マスター・クロック選択機能（オープン・ドレイン）41Ｂにより、マスター・クロック候補ＭＣＣｉをマスター・クロックＭＣとして得ている。このマスター・クロックＭＣは、システム・タイミング制御ユニット21Ｂに印加され、マスター・クロックＭＣに同期した所定周期のサンプリング・タイミング基準信号ＳＴとなる。
【０００５】
ビジー状態にある間は、マスター・クロック源となったデジタル・トランク・ユニットＤＴｉ以外のデジタル・トランク・ユニットＤＴは、マスター・クロック候補ＭＣＣを出力せず、ビジー状態にない場合（非ビジー状態）にのみ、デジタル・トランク・ユニットＤＴ0〜ｎは、マスター・クロック候補ＭＣＣを出力することができる。
【０００６】
すなわち、多くのマスター・クロック候補ＭＣＣから調停して1つのマスター・クロックＭＣを選択抽出しており、マスター・クロックＭＣを抽出できた場合は、ビジー状態を示すと同時に、抽出したクロックをマスター・クロックＭＣとして出力している。マスター・クロックＭＣを抽出できなかった場合は、ビジー状態を示しておらず、２回連続してマスター・クロック候補ＭＣＣ0〜ｎを出力することができた、デジタル・トランク・ユニットＤＴ0〜ｎのうちの1つがマスター・クロック源となり、ビジー状態とする。
【０００７】
図10には従来のマスター・クロック調停装置の回路構成図が示されている。複数のデジタル・トランク・ユニットＤＴ0〜ｎとシステム・タイミング制御ユニット21Ｂとの間には、非優先ビジー信号共通線ＢＣ、マスター・クロックＭＣ（オープン・ドレイン信号）があり、各デジタル・トランク・ユニットＤＴ0〜ｎの間は、非優先ビジー信号Ｂ0〜ｎおよびマスター・クロック候補ＭＣＣ0〜ｎにより、接続されている。非優先ビジー信号Ｂ0〜ｎは、オープン・ドレイン信号形式となっている。ビジー（ビジー状態）はＬレベル、ビジーでない場合（非ビジー状態）はＨレベルとなっている。
【０００８】
システム・タイミング制御ユニット21Ｂにはマスター・クロックＭＣが供給され、各デジタル・トランク・ユニットＤＴ0〜ｎには、システム・タイミング制御ユニット21Ｂからサンプリング・タイミング基準信号ＳＴが供給されている。サンプリング・タイミング基準信号ＳＴは、各デジタル・トランク・ユニットＤＴ0〜ｎ内部での動作の基準タイミングとなっている。また、各デジタル・トランク・ユニットＤＴ0〜ｎには、フレーム構成で伝送されるデジタル回線Ｄ0〜ｎ（たとえば、ＩＮＳ64など）が接続されている。
【０００９】
1つのデジタル・トランク・ユニットＤＴｉがマスター・クロック源となっていることを示すビジー状態は、非優先ビジー信号共通線ＢＣによりオープン・ドレイン形式で全てのデジタル・トランク・ユニットＤＴ0〜ｎに伝えられる。
【００１０】
ここで、マスター・クロック候補ＭＣＣとマスター・クロックＭＣについて説明する。デジタル・トランク・ユニットＤＴ0〜ｎの1つ、たとえばＤＴ2がマスター・クロックＭＣに同期したサンプリング・タイミング基準信号ＳＴに同期して、マスター・クロック候補ＭＣＣ2を送出可能な状態になると、デジタル・トランク・ユニットＤＴ2はマスター・クロック候補となる。
【００１１】
マスター・クロック候補となったデジタル・トランク・ユニットＤＴ2は、非優先ビジー信号共通線ＢＣが、“2回続けてビジーでないこと”を検出した場合に、非優先ビジー信号Ｂを非優先ビジー信号共通線ＢＣに対して送出し、ビジー（レベル：Ｌ）にする。デジタル・トランク・ユニットＤＴ2の出力するマスター・クロック候補ＭＣＣ2は、マスター・クロック選択機能（オープン・ドレイン）41Ｂ（図9参照）によりマスター・クロックＭＣとして認定され、システム・タイミング制御ユニット21Ｂにおいてマスター・クロックＭＣに同期したサンプリング・タイミング基準信号ＳＴを作成し、すべてのデジタル・トランク・ユニットＤＴ0〜ｎにおいて使用される。
【００１２】
すでにビジー（レベル：Ｌ）となっているか否かを調べるビジー・チェックの結果、非優先ビジー信号共通線ＢＣがすでにビジー（レベル：Ｌ）となっている場合には、マスター・クロック源となったデジタル・トランク・ユニットＤＴ2以外のデジタル・トランク・ユニットＤＴは、マスター・クロック候補とはなり得ても、デジタル・トランク・ユニットＤＴ2が非優先ビジー信号を出している間は、マスター・クロック源となったデジタル・トランク・ユニットＤＴ2以外のデジタル・トランク・ユニットＤＴは、マスター・クロック源とはなり得ない。デジタル・トランク・ユニットＤＴ2が、非優先ビジー信号を出さなくなった場合には、マスター・クロック候補の中から次のマスター・クロック源が選ばれる。
【００１３】
図11は、図10の回路構成において、ビジーでないことを2回検出したら非優先ビジー信号Ｂを非優先ビジー信号共通線ＢＣに出力する場合のタイムチャートである。ここでは説明の便宜上ｎ＝15とし、フレーム構成の非優先チャネルｃｈ0〜15として例示している。デジタル・トランク・ユニットＤＴ0〜15のそれぞれは、対応するデジタル回線Ｄおよび非優先ビジー信号共通線ＢＣ上の非優先チャネルｃｈ0〜15をそれぞれ用いている。フレームの先頭はチャネルｃｈ0（ＤＴ0）であり、時間軸は右回転で進行する。
【００１４】
各デジタル・トランク・ユニットＤＴ0〜ｎにおけるビジー・チェックは、各デジタル・トランク・ユニットＤＴ0〜15により所定の手順で実行される。ビジー・チェック・スタートＣＳの時間的位置（チャネルｃｈの番号）は、システム・タイミング制御ユニット21Ｂにより定まり、チャネルｃｈの番号は、所定の時間間隔で、変更される。
【００１５】
たとえば、チャネルｃｈ1の先頭がビジー・チェック・スタートＣＳとなる場合は、チャネルｃｈ1を先頭にしてチャネルｃｈ2，3，・・・15，0と進み、再びチャネルｃｈ1からのビジー・チェックをする。図11では、チャネルｃｈ2と8がマスター・クロック抽出に成功し、マスター・クロック候補となっている。非優先ビジー信号共通線ＢＣに非優先ビジー信号Ｂを出力しているチャネルｃｈすなわちデジタル・トランク・ユニットＤＴは存在しておらず、非優先ビジー信号共通線ＢＣは、ビジーでない（レベル：Ｈ）と仮定する。
【００１６】
チャネルｃｈ1の先頭でビジー・チェック・スタートＣＳすると、チャネルｃｈ1はマスター・クロック候補とはなっていない。つぎにマスター・クロック候補となっているチャネルｃｈ2は、１回目のビジーでない状態を検出（ｃ1）する。チャネルｃｈ3〜7はマスター・クロック候補とはなっていない。チャネルｃｈ8はマスター・クロック候補となっているから、１回目のビジーでない状態（レベル：Ｈ）を検出（ｃ1）する。チャネルｃｈ9〜15およびチャネルｃｈ0はマスター・クロック候補とはなっていない。
【００１７】
そこで2回目のビジー・チェック・スタートＣＳをする。１回目と同様に、チャネルｃｈ1はマスター・クロック候補とはなっていない。つぎにマスター・クロック候補となっているチャネルｃｈ2は、2回目のビジーでない状態を検出（ｃ2）する。チャネルｃｈ2を使用しているデジタル・トランク・ユニットＤＴ2は、非優先ビジー信号Ｂ2を非優先ビジー信号共通線ＢＣに出力し（ｄ2）、チャネルｃｈ2はマスター・クロック源となる。非優先ビジー信号共通線ＢＣはビジー（レベル：Ｌ）となる。
【００１８】
チャネルｃｈ3〜7はマスター・クロック候補とはなっていない。チャネルｃｈ8はマスター・クロック候補となってはいるが、2回目のビジー・チェックでは、ビジー（レベル：Ｌ）を検出（ｃ1）する。それは、すでにチャネルｃｈ2によって非優先ビジー信号Ｂ2が非優先ビジー信号共通線ＢＣに出力されているからである。このようにして、チャネルｃｈ2（を使用しているデジタル・トランク・ユニットＤＴ2）は、マスター・クロック源となる。
【００１９】
システム・タイミング制御ユニット21Ｂは、このマスター・クロック源からのマスター・クロックＭＣを基にしてサンプリング・タイミング基準信号ＳＴを作成し、各デジタル・トランク・ユニットＤＴに供給している。チャネルｃｈ1の先頭でビジー・チェック・スタートＣＳが実行される動作が所定回続くと、他のチャネルｃｈの先頭でビジー・チェック・スタートＣＳが実行される。どのチャネルにとっても、チャネルｃｈの先頭でビジー・チェック・スタートＣＳが実行される確率は、等しくなる。特定のチャネルｃｈの先頭でビジー・チェック・スタートＣＳが実行されるように設定することも可能である。
【００２０】
図12は、図10の回路構成において、ビジー・チェック・スタートＣＳとマスター・クロック源との関係を表すタイムチャートである。図11に用いた記号により表される事項に同じものについては、同じ記号を用いている。各デジタル・トランク・ユニットＤＴ0〜ｎにおけるビジー・チェックは、システム・タイミング制御ユニット21Ｂにより所定の手順で実行される。
【００２１】
たとえば、チャネルｃｈ6の先頭が（１回目の）ビジー・チェック・スタートＣＳとなる場合は、チャネルｃｈ6を先頭にしてチャネルｃｈ7，8，・・・15，0，1，・・・，5と進み、再び（２回目）チャネルｃｈ6からのビジー・チェックをする。この２回目のビジー・チェックは、必ずしもチャネルｃｈ6からスタートしなければならない理由はないが、図示及び説明の都合上１回目と２回目のビジー・チェック・スタートＣＳは同一点（チャネルｃｈ6の先頭）とした。この１回目と２回目のビジー・チェック・スタートＣＳを同一点としての説明は、他の図においても、同様である。
【００２２】
図12では、チャネルｃｈ2と8がマスター・クロックＭＣのクロック抽出に成功してマスター・クロック候補となっている。非優先ビジー信号共通線ＢＣに非優先ビジー信号Ｂを出力しているチャネルｃｈすなわちデジタル・トランク・ユニットＤＴは存在しておらず、非優先ビジー信号共通線ＢＣは、ビジーでない（レベル：Ｈ）と仮定する。
【００２３】
チャネルｃｈ6の先頭でビジー・チェック・スタートＣＳすると、チャネルｃｈ6，7はマスター・クロック候補とはなっていない。つぎにマスター・クロック候補となっているチャネルｃｈ8は、１回目のビジーでない状態を検出（ｃ1）する。チャネルｃｈ9〜15，0，1はマスター・クロック候補とはなっていない。チャネルｃｈ2はマスター・クロック候補となっているから、１回目のビジーでない状態（レベル：Ｈ）を検出（ｃ1）する。チャネルｃｈ3〜5はマスター・クロック候補とはなっていない。
【００２４】
そこで2回目のビジー・チェック・スタートＣＳをする。１回目と同様に、チャネルｃｈ6，7はマスター・クロック候補とはなっていない。つぎにマスター・クロック候補となっているチャネルｃｈ8は、2回目のビジーでない状態を検出（ｃ2）する。そこでチャネルｃｈ8を使用しているデジタル・トランク・ユニットＤＴ8は、非優先ビジー信号Ｂ8を非優先ビジー信号共通線ＢＣに出力し（ｄ2）、チャネルｃｈ8はマスター・クロック源となる。非優先ビジー信号共通線ＢＣはビジー（レベル：Ｌ）となる。
【００２５】
チャネルｃｈ9〜15，0，1はマスター・クロック候補とはなっていない。チャネルｃｈ2はマスター・クロック候補となってはいるが、2回目のビジー・チェックでは、ビジー（レベル：Ｌ）を検出（ｃ1）する。それは、すでにチャネルｃｈ8によって非優先ビジー信号Ｂ8が非優先ビジー信号共通線ＢＣに出力されているからである。このようにして、チャネルｃｈ8（を使用しているデジタル・トランク・ユニットＤＴ8）は、マスター・クロック源となり、システム・タイミング制御ユニット21Ｂは、このマスター・クロック源からのマスター・クロックＭＣを基にしてサンプリング・タイミング基準信号ＳＴを作成し、各デジタル・トランク・ユニットＤＴに供給している。
【００２６】
図13は、図10の回路構成において、マスター・クロック源がクロック抽出不能となったときのタイムチャートである。図11および12に用いた記号により表される事項に同じものについては、同じ記号を用いている。各デジタル・トランク・ユニットＤＴ0〜ｎにおけるビジー・チェックは、システム・タイミング制御ユニット21Ｂにより所定の手順で実行される。たとえば、チャネルｃｈ6の先頭がビジー・チェック・スタートＣＳとなる場合は、チャネルｃｈ6を先頭にしてチャネルｃｈ7，8，・・・15，0，1，・・・，5と進み、再びチャネルｃｈ6からのビジー・チェックをする。
【００２７】
図13では、チャネルｃｈ2がクロック抽出に2回連続して成功し、マスター・クロック源となっていた。しかし、何等かの理由（たとえば、デジタル・トランク・ユニットＤＴ2の電源オフ）により、クロック抽出が不能となって非優先ビジー信号共通線ＢＣへの出力をしないドライブ・ストップ（ｄｓ）となる。チャネルｃｈ8は、すでにマスター・クロックＭＣのクロック抽出に成功してマスター・クロック候補となっている。
【００２８】
非優先ビジー信号共通線ＢＣに非優先ビジー信号Ｂを出力しているチャネルｃｈ、すなわちデジタル・トランク・ユニットＤＴは存在しておらず、非優先ビジー信号共通線ＢＣは、ビジーではない（レベル：Ｈ）と仮定する。
【００２９】
チャネルｃｈ6の先頭でビジー・チェック・スタートＣＳすると、チャネルｃｈ6，7はマスター・クロック候補とはなっていない。つぎにマスター・クロック候補となっているチャネルｃｈ8は、１回目のビジーでない状態を検出（ｃ1）する。チャネルｃｈ9〜15，0，1はマスター・クロック候補とはなっていない。チャネルｃｈ2もマスター・クロック候補とはなっていない。チャネルｃｈ3〜5はマスター・クロック候補とはなっていない。
【００３０】
そこで2回目のビジー・チェック・スタートＣＳをする。１回目と同様に、チャネルｃｈ6，7はマスター・クロック候補とはなっていない。つぎにマスター・クロック候補となっているチャネルｃｈ8は、2回目のビジーでない状態を検出（ｃ2）する。そこでチャネルｃｈ8を使用しているデジタル・トランク・ユニットＤＴ8は、非優先ビジー信号Ｂ8を非優先ビジー信号共通線ＢＣに出力し（ｄ2）、チャネルｃｈ8はマスター・クロック源となる。非優先ビジー信号共通線ＢＣはビジー（レベル：Ｌ）となる。
【００３１】
チャネルｃｈ9〜15，0〜5はマスター・クロック候補とはなっていない。このようにして、チャネルｃｈ8（を使用しているデジタル・トランク・ユニットＤＴ8）は、マスター・クロック源となり、システム・タイミング制御ユニット21Ｂは、このマスター・クロック源を基にしてサンプリング・タイミング基準信号ＳＴを作成し、各デジタル・トランク・ユニットＤＴに供給している。
【００３２】
図14は、図10の回路構成において、特定のチャネルをマスター・クロック源として選択することが不可能であることの理由を示すタイムチャートである。図11〜13に用いた記号により表される事項に同じものについては、同じ記号を用いている。各デジタル・トランク・ユニットＤＴ0〜ｎにおけるビジー・チェックは、システム・タイミング制御ユニット21Ｂにより所定の手順で実行される。たとえば、チャネルｃｈ6の先頭がビジー・チェック・スタートＣＳとなる場合は、チャネルｃｈ6を先頭にしてチャネルｃｈ7，8，・・・15，0，1，・・・，5と進み、再びチャネルｃｈ6からのビジー・チェックをする。
【００３３】
図14では、チャネルｃｈ2と8がマスター・クロックＭＣに同期し、クロック抽出に成功してマスター・クロック候補となっている。非優先ビジー信号共通線ＢＣに非優先ビジー信号Ｂを出力しているチャネルｃｈすなわちデジタル・トランク・ユニットＤＴは存在しておらず、非優先ビジー信号共通線ＢＣは、ビジーでない（レベル：Ｈ）と仮定する。
【００３４】
チャネルｃｈ6の先頭でビジー・チェック・スタートＣＳすると、チャネルｃｈ6，7はマスター・クロック候補とはなっていない。つぎにマスター・クロック候補となっているチャネルｃｈ8は、１回目のビジーでない状態を検出（ｃ1）する。チャネルｃｈ9〜15，0，1はマスター・クロック候補とはなっていない。チャネルｃｈ2はマスター・クロック候補となっているから、１回目のビジーでない状態（レベル：Ｈ）を検出（ｃ1）する。チャネルｃｈ3〜5はマスター・クロック候補とはなっていない。
【００３５】
そこで2回目のビジー・チェック・スタートＣＳをする。１回目と同様に、チャネルｃｈ6，7はマスター・クロック候補とはなっていない。つぎにマスター・クロック候補となっているチャネルｃｈ8は、2回目のビジーでない状態を検出（ｃ2）する。そこでチャネルｃｈ8を使用しているデジタル・トランク・ユニットＤＴ8は、非優先ビジー信号Ｂ8を非優先ビジー信号共通線ＢＣに出力し（ｄ2）、チャネルｃｈ8はマスター・クロック源となる。非優先ビジー信号共通線ＢＣはビジー（レベル：Ｌ）となる。
【００３６】
チャネルｃｈ9〜15，0，1はマスター・クロック候補とはなっていない。チャネルｃｈ2はマスター・クロック候補となってはいるが、2回目のビジー・チェックでは、ビジー（レベル：Ｌ）を検出（ｃ1）する。それは、すでにチャネルｃｈ8によって非優先ビジー信号Ｂ8が非優先ビジー信号共通線ＢＣに出力されているからである。このようにして、チャネルｃｈ8（を使用しているデジタル・トランク・ユニットＤＴ8）は、マスター・クロック源となり、システム・タイミング制御ユニット21Ｂは、このマスター・クロック源を基にしてサンプリング・タイミング基準信号を作成し、各デジタル・トランク・ユニットＤＴに供給している。
【００３７】
ここで、チャネルｃｈ2はマスター・クロック候補となっても、マスター・クロック源とはなり難い。マスター・クロック源となり易いチャネルｃｈは、ビジー・チェック・スタートＣＳの時点後に最も早くビジー・チェックを受ける位置にあることが必要であるにもかかわらず、マスター・クロック候補となっているチャネルｃｈ8よりも後にビジー・チェックを受けるから、２回目のビジー・チェックの時点では、すでにビジー（レベル：Ｌ）を検出するからである。
【００３８】
しかしながら、ビジー・チェック・スタートＣＳをチャネルｃｈ9〜15，0，1のいずれかにした場合には、チャネルｃｈ2がチャネルｃｈ8よりもマスター・クロック源として選択され易くなる。ビジー・チェック・スタートＣＳのチャネルｃｈを所定の時間間隔で変更、あるいは、全くランダムにチャネルｃｈを変更することによって、特定のチャネルｃｈだけがマスター・クロック源として選択され易くならないようにして、特定のチャネルｃｈがマスター・クロック源として選択され易くなってしまうという問題を解決している。
【００３９】
図15は、図10の回路構成において、マスター・クロック源のチャネルがクロック抽出不能となったときのマスター・クロック源チャネルの選択をする場合のタイムチャートである。  図11〜14に用いた記号により表される事項に同じものについては、同じ記号を用いている。各デジタル・トランク・ユニットＤＴ0〜ｎにおけるビジー・チェックは、システム・タイミング制御ユニット21Ｂにより所定の手順で実行される。たとえば、チャネルｃｈ6の先頭がビジー・チェック・スタートＣＳとなる場合は、チャネルｃｈ6を先頭にしてチャネルｃｈ7，8，・・・15，0，1，・・・，5と進み、再びチャネルｃｈ6からのビジー・チェックをする。
【００４０】
図15では、チャネルｃｈ2がクロック抽出に2回連続して成功し、マスター・クロック源となっていた。しかし、何等かの理由（たとえば、デジタル・トランク・ユニットＤＴ2の電源オフ）により、クロック抽出が不能となって非優先ビジー信号共通線ＢＣへの出力をしないドライブ・ストップ（ｄｓ）をする。チャネルｃｈ8およびチャネルｃｈ13は、すでにマスター・クロックＭＣのクロック抽出に成功してマスター・クロック候補となっている。
【００４１】
非優先ビジー信号共通線ＢＣに非優先ビジー信号Ｂを出力しているチャネルｃｈ、すなわちデジタル・トランク・ユニットＤＴは存在しておらず、非優先ビジー信号共通線ＢＣは、ビジーではない（レベル：Ｈ）と仮定する。
【００４２】
チャネルｃｈ6の先頭でビジー・チェック・スタートＣＳすると、チャネルｃｈ6，7はマスター・クロック候補とはなっていない。つぎにマスター・クロック候補となっているチャネルｃｈ8は、１回目のビジーでない状態を検出（ｃ1）する。チャネルｃｈ9〜12はマスター・クロック候補とはなっていない。マスター・クロック候補となっているチャネルｃｈ13は、１回目のビジーでない状態を検出（ｃ1）する。チャネルｃｈ14，15，0，1はマスター・クロック候補とはなっていない。ドライブ・ストップ（ｄｓ）したチャネルｃｈ2もマスター・クロック候補とはなっていない。チャネルｃｈ3〜5はマスター・クロック候補とはなっていない。
【００４３】
そこで2回目のビジー・チェック・スタートＣＳをする。１回目と同様に、チャネルｃｈ6，7はマスター・クロック候補とはなっていない。つぎにマスター・クロック候補となっているチャネルｃｈ8は、2回目のビジーでない状態を検出（ｃ2）する。そこでチャネルｃｈ8を使用しているデジタル・トランク・ユニットＤＴ8は、非優先ビジー信号Ｂ8を非優先ビジー信号共通線ＢＣに出力し（ｄ2）、チャネルｃｈ8はマスター・クロック源となる。非優先ビジー信号共通線ＢＣはビジー（レベル：Ｌ）となる。
【００４４】
チャネルｃｈ9〜12はマスター・クロック候補とはなっていない。チャネルｃｈ13は2回目のビジー・チェックにおいては、すでにチャネルｃｈ8を使用しているデジタル・トランク・ユニットＤＴ8により、非優先ビジー信号共通線ＢＣに出力され（ｄ2）ているから、ビジーを検出する。したがって、チャネルｃｈ13はマスター・クロック源とはなれない。もし、ビジー・チェック・スタートＣＳがチャネルｃｈ8の後とチャネルｃ13の前までの間に実行されれば、そのときには、チャネルｃｈ13がマスター・クロック源となり、チャネルｃｈ8はマスター・クロック源とはなれない。
【００４５】
図16は、従来のシステム・タイミング制御ユニット21Ｂの内部構成を示す回路構成図である。サンプリング・タイミング基準信号ＳＴを作成する作成回路と、ビジー・チェック・スタートＣＳ時点を制御する制御部が含まれているが、この制御部に関しては、従来公知の技術であり本願発明において重要ではないのでので、図示することは省略する。
【００４６】
作成回路は、フェーズ・ロック・ループ（ＰＬＬ）動作をするデジタルＰＬＬ回路22Ｂを含んでいる。マスター・クロックＭＣを印加されたデジタルＰＬＬ回路22Ｂは、マスター・クロックＭＣに位相同期して、サンプリング・タイミング基準信号ＳＴを発生している。このサンプリング・タイミング基準信号ＳＴは、各デジタル・トランク・ユニットＤＴ0〜ｎにおける動作のタイミングとして使われる基準信号である。
【００４７】
図17は、従来のデジタル・トランク・ユニットＤＴの内部構成を示す回路構成図である。そこには、デジタル回線インタフェース31とトランク・アービタ32が含まれている。デジタル回線インタフェース31は、デジタル回線Ｄ（たとえば、ＩＮＳ64など）からのデジタル信号ＤとＰＣＭ信号ＰＣＭとを受けてサンプリング・タイミング基準信号ＳＴのタイミングで同期用の周期信号ＳＹを作成している。この周期信号ＳＹの周期は、たとえば、125μｓである。
【００４８】
トランク・アービタ32は、非優先ビジー信号Ｂ、周期信号ＳＹを受けてサンプリング・タイミング基準信号ＳＴのタイミングで動作し、非優先ビジー信号Ｂがすでに存在する（レベル：Ｌのビジーの）ときには、他のデジタル・トランク・ユニットＤＴのマスター・クロック候補ＭＣＣが現在のマスター・クロック源として使用されているから、当該デジタル・トランク・ユニットＤＴｉは、オープン・ドレイン信号である非優先ビジー信号Ｂをオフのままとし、マスター・クロック候補ＭＣＣを作成しない。
【００４９】
非優先ビジー信号Ｂが存在しない（レベル：Ｈのビジーでない）とき、当該デジタル・トランク・ユニットＤＴｉは、周期信号ＳＹに同期してマスター・クロック候補ＭＣＣを作成して、２度続けてビジーでないときには、当該デジタル・トランク・ユニットＤＴｉはマスター・クロック源となり、非優先ビジー信号Ｂ（レベル：Ｌのビジー）を非優先ビジー信号共通線ＢＣに出力し、これがマスター・クロックＭＣとなる。
【００５０】
このようなＰＢＸシステムを接続する場合の同期装置は、たとえば、特許文献1および2に詳細に開示されている。
【特許文献１】特開平4-165729号公報
【特許文献２】特開平5-316251号公報
【発明の開示】
【発明が解決しようとする課題】
【００５１】
たとえば、デジタル回線ＩＮＳ1500に接続可能で、精度の高い同期をとることができる最新型の高精度のデジタル・トランク・ユニットが開発されても、従来型の、たとえばデジタル回線ＩＮＳ64に接続可能な精度の高い同期をとることのできない低精度のデジタル・トランク・ユニットも混在したままのＰＢＸシステムで利用できなければ、極めて不経済であり、資源の有効活用もできない。すなわち、高精度および低精度デジタル・トランク・ユニットの混在したままのＰＢＸシステムを実現したいという第1の課題があった。
【００５２】
従来は、複数のマスター・クロック候補のうちの最先のものを基にしてマスター・クロックを作成する先着方式をとっていた。そのために、複数のデジタル・トランク・ユニットの中に、安定で精度の良い同期を可能とする高精度デジタル・トランク・ユニットが含まれていたとしても、それが最先の候補でない場合には、優先的にマスター・クロックとして採用されず、低精度デジタル・トランク・ユニットのマスター・クロック候補が採用されてマスター・クロックとなり、高精度デジタル・トランク・ユニットの機能を十分に発揮することができないという解決されねばならない第2の課題があった。
【００５３】
このような課題を新規のプロトコルを用いて解決することも可能ではあるが、その場合には、品質の良いマスター・クロックを作成可能な高精度のデジタル・トランク・ユニットを採用して、低精度デジタル・トランク・ユニットと混在して用いようとしても、その互換性を確保することができないという新たな課題が発生する。したがって、低精度デジタル・トランク・ユニットとの互換性を保証することが第3の課題である。
【００５４】
ＰＢＸシステムの初期化（スイッチ・オンなど）の直後であっても、クロック源として選択する優先度を高くしたい高精度デジタル・トランク・ユニットからのマスタ―・クロック候補を優先的に採用して、それをマスタ―・クロック源とすることにより、ＰＢＸシステムの同期安定度をより高めることを第4の課題としている。
【課題を解決するための手段】
【００５５】
あらかじめ定めた優先度の高い高精度の優先デジタル・トランク・ユニットと、優先度の高くはない低精度の非優先デジタル・トランク・ユニットとがあり、優先および非優先デジタル・トランク・ユニットは、非優先ビジー信号を非優先ビジー信号共通線に接続し、デジタル回線に同期してマスター・クロック候補を得て、同時に、優先デジタル・トランク・ユニットは、優先ビジー信号を優先ビジー信号共通線に接続して、優先ビジー信号と非優先ビジー信号とを受けて、優先ビジー信号が優先ビジー信号共通線に存在しないことを１回検出した場合には、非優先デジタル・トランク・ユニットがマスター・クロック源となることを防止するために擬似非優先ビジー信号を非優先ビジー信号共通線に出力し、優先ビジー信号が優先ビジー信号共通線に存在しないことを続けて2回検出した場合には、非優先ビジー信号を非優先ビジー信号共通線に出力すると同時に優先ビジー信号を優先ビジー信号共通線に出力し、優先デジタル・トランク・ユニットは、マスター・クロック候補をマスター・クロックとして出力することを指示するための判別されたビジー信号を出力する優先度判別手段と、
デジタル回線とＰＣＭ信号とのインタフェースをし、デジタル回線から周期信号を抽出するデジタル回線インタフェース手段と、
周期信号と判別されたビジー信号およびマスター・クロックに同期したサンプリング・タイミング基準信号とを受けて、マスター・クロック候補を出力するためのトランク・アービタ手段と、
マスター・クロックを受けて、このマスター・クロックに同期したサンプリング・タイミング基準信号を得るシステム・タイミング制御手段とを含む
マスター・クロック調停装置を構成した。
【発明の効果】
【００５６】
たとえば、デジタル回線ＩＮＳ1500に接続可能で、精度の高い同期をとることができる最新型の高精度のデジタル・トランク・ユニットが開発されても、従来型の、たとえばデジタル回線ＩＮＳ64に接続可能な精度の高い同期をとることのできない低精度のデジタル・トランク・ユニットも混在したままのＰＢＸシステムを構築することができるから、経済的であり、資源の有効活用にもなる。複数のデジタル・トランク・ユニットの中に、優先的にマスター・クロックとして採用したい安定で精度の高いものがある場合には、それを優先的にマスター・クロック源として採用することができるようになった。
【００５７】
新規のプロトコルを用いていないので、従来型デジタル・トランク・ユニットとの互換性を確保することができた。ＰＢＸシステムの初期化（スイッチ・オンなど）の直後から、優先度を高くしたいデジタル・トランク・ユニットからのマスタ―・クロック候補を優先的にマスタ―・クロックとして採用し、それを基にしてデジタル・トランク・ユニットの動作に必要なサンプリング・タイミング基準信号を作成することにしたから、ＰＢＸシステムの同期安定度をより高めることができた。
【００５８】
優先度を高くしたいデジタル・トランク・ユニットを、優先度を高くしないデジタル・トランク・ユニットとして使用するには、優先ビジー信号共通線へ出力（レベルをＬに）する優先ビジー信号を、ビジーではない（レベルがＨの）状態に固定するのみでよい。したがって、製造上、在庫管理上においても、好都合である。
【発明を実施するための最良の形態】
【００５９】
あらかじめ定めた優先度の高い高精度の優先デジタル・トランク・ユニットと、優先度の高くはない低精度の非優先デジタル・トランク・ユニットとがあり、優先および非優先デジタル・トランク・ユニットは、非優先ビジー信号を非優先ビジー信号共通線に接続し、デジタル回線に同期したマスター・クロック候補を得て、同時に、優先デジタル・トランク・ユニットは、優先ビジー信号を優先ビジー信号共通線に接続して、優先ビジー信号と非優先ビジー信号とを受けて、優先ビジー信号が優先ビジー信号共通線に存在しないことを１回検出した場合には、非優先デジタル・トランク・ユニットがマスター・クロック源となることを防止するために擬似非優先ビジー信号を非優先ビジー信号共通線に出力し、優先ビジー信号が優先ビジー信号共通線に存在しないことを続けて2回検出した場合には、非優先ビジー信号を非優先ビジー信号共通線に出力すると同時に優先ビジー信号を優先ビジー信号共通線に出力し、優先デジタル・トランク・ユニットは、マスター・クロック候補をマスター・クロックとして出力することを指示するための判別されたビジー信号を出力する優先度判別手段と、
デジタル回線とＰＣＭ信号とのインタフェースをし、デジタル回線から周期信号を抽出するデジタル回線インタフェース手段と、
周期信号と判別されたビジー信号およびマスター・クロックに同期したサンプリング・タイミング基準信号とを受けて、マスター・クロック候補を出力するためのトランク・アービタ手段と、
マスター・クロックを受けて、このマスター・クロックに同期したサンプリング・タイミング基準信号を得るシステム・タイミング制御手段とを含む
マスター・クロック調停装置を構成している。
【実施例１】
【００６０】
図１は、本願発明の実施例を示した構成図である。ここで、図10に対応する要素については、対応する記号を付してある。優先デジタル・トランク・ユニットＤＴＰ1，2と非優先デジタル・トランク・ユニットＤＴ0〜ｎおよびシステム・タイミング制御ユニット21がある。優先デジタル・トランク・ユニットＤＴＰ1，2および非優先デジタル・トランク・ユニットＤＴ0〜ｎは、多くの信号線によって接続されている。それらの信号線は、優先ビジー信号共通線ＢＰＣ、サンプリング・タイミング基準信号ＳＴ、非優先ビジー信号共通線ＢＣ、マスター・クロックＭＣである。
【００６１】
各優先デジタル・トランク・ユニットＤＴＰ1，2および非優先デジタル・トランク・ユニットＤＴ0〜ｎには、デジタル回線Ｄ0〜ｎが接続されている。システム・タイミング制御ユニット21は、マスター・クロックＭＣを受けて、このマスター・クロックに同期したサンプリング・タイミング基準信号ＳＴを得て、各デジタル・トランク・ユニットＤＴに供給している。
【００６２】
優先および非優先デジタル・トランク・ユニットＤＴＰ1，2，ＤＴ0〜ｎから出力され得るマスター・クロック候補ＭＣＣ1〜ｎは、オープン・ドレイン信号形式のマスター・クロックMCとして出力される。優先デジタル・トランク・ユニットＤＴＰ1，2の優先ビジー信号ＢＰ1，2は、優先ビジー信号共通線ＢＰＣに接続されている。優先ビジー信号共通線ＢＰＣがビジー（レベルは、Ｌ）であるときには、必ず非優先ビジー信号共通線ＢＣもビジー（レベルは、Ｌ）である。しかしながら、優先ビジー信号共通線ＢＰＣがビジーではない（レベルは、Ｈの）ときには、非優先ビジー信号共通線ＢＣは、ビジー（レベルは、Ｌ）あるいはビジーではない（レベルは、Ｈの）状態である。
【００６３】
非優先ビジー信号Ｂ0〜ｎは、非優先ビジー信号共通線ＢＣに接続されている。すべての優先および非優先デジタル・トランク・ユニットＤＴには共通のサンプリング・タイミング基準信号ＳＴが接続され、優先および非優先ビジー信号ＢＰ1，2，Ｂ0〜ｎは、オープン・ドレイン信号形式となっている。各デジタル・トランク・ユニットＤＴには、サンプリング・タイミング基準信号ＳＴが供給されて、各デジタル・トランク・ユニットＤＴ内部での動作の基準タイミングとなっている。
【００６４】
優先デジタル・トランク・ユニットＤＴＰ1，2は、精度の高い同期をとることができる最新型の高精度のデジタル・トランク・ユニットであり、たとえばＩＮＳ1500などで使用される。非優先デジタル・トランク・ユニットＤＴ0〜ｎは、従来型の、たとえばデジタル回線ＩＮＳ64に接続可能な精度の高い同期をとることのできない低精度のデジタル・トランク・ユニットである。
【００６５】
従って高精度の優先デジタル・トランク・ユニットＤＴＰは、低精度のデジタル・トランク・ユニットＤＴに較べて、出力するマスター・クロック候補の同期精度は極めて高い。図1においては、優先および非優先デジタル・トランク・ユニットＤＴＰ1，2，ＤＴ0〜ｎが混在したままのＰＢＸシステムを表している。
【００６６】
図2は、図1の回路構成において、ビジーでないことを1回検出したら擬似非優先ビジー信号を非優先ビジー信号共通線ＢＣに出力する場合のタイムチャートである。ここでは説明の便宜上ｎ＝15とし、フレーム構成の非優先チャネルｃｈ0，4〜7，10〜12，15とし、優先チャネルｃｈ1Ｐ〜3Ｐ，8Ｐ，9Ｐ，13Ｐ，14Ｐとして例示している。
【００６７】
優先チャネルｃｈ2Ｐ，8Ｐ（を使用するデジタル・トランク・ユニットＤＴＰ1，ＤＴＰ8）は、供給されているサンプリング・タイミング基準信号ＳＴを用いて、デジタル回線Ｄよりクロックを抽出することに成功していることを判別している。デジタル・トランク・ユニットＤＴのそれぞれは、対応するデジタル回線Ｄおよび非優先ビジー信号共通線ＢＣと優先ビジー信号共通線ＢＰＣ上の非優先チャネル（ｃｈ0，4〜7，10〜12，15）および優先チャネル（ｃｈ1Ｐ〜3Ｐ，8Ｐ，9Ｐ，13Ｐ，14Ｐ）をそれぞれ用いている。フレームの先頭はチャネルｃｈ0（ＤＴ0）であり、時間軸は右回転で進行する。
【００６８】
各非優先あるいは優先デジタル・トランク・ユニットＤＴにおけるビジー・チェックは、システム・タイミング制御ユニット21により所定の手順で実行される。ビジー・チェック・スタートＣＳのチャネルｃｈの番号は、システム・タイミング制御ユニット21により選ばれ、チャネルｃｈの番号は、所定の時間間隔で、変更される。
【００６９】
たとえば、チャネルｃｈ1Ｐの先頭が（１回目の）ビジー・チェック・スタートＣＳとなる場合は、チャネルｃｈ1Ｐを先頭にしてチャネルｃｈ2Ｐ，3Ｐ，4，・・・12，13Ｐ，14Ｐ，15，0と進み、再び（２回目）チャネルｃｈ1Ｐからのビジー・チェックをする。図2では、チャネルｃｈ2Ｐと8Ｐがクロック抽出に成功して、マスター・クロック候補となっている。この２回目のビジー・チェックは、必ずしもチャネルｃｈ1Ｐからスタートしなければならない理由はないが、図示及び説明の都合上１回目と２回目のビジー・チェック・スタートＣＳは同一点（チャネルｃｈ1Ｐの先頭）とした。この１回目と２回目のビジー・チェック・スタートＣＳを同一点としての説明は、他の図においても、同様である。
【００７０】
非優先ビジー信号共通線ＢＣおよび優先ビジー信号共通線ＢＰＣに非優先ビジー信号Ｂあるいは優先ビジー信号ＢＰを出力しているチャネルｃｈすなわちデジタル・トランク・ユニットＤＴは存在しておらず、非優先ビジー信号共通線ＢＣおよび優先ビジー信号共通線ＢＰＣは、ビジーでない（レベル：Ｈ）と仮定する。
【００７１】
チャネルｃｈ1Ｐの先頭でビジー・チェック・スタートＣＳすると、チャネルｃｈ1Ｐはまだマスター・クロック候補とはなっていない。つぎにマスター・クロック候補となっているチャネルｃｈＰ2は、非優先ビジー信号共通線ＢＣを調べて１回目のビジーでない状態を検出（ｃ1）する。そこでチャネルｃｈＰ2を使用しているデジタル・トランク・ユニットＤＴ2Ｐは、擬似非優先ビジー信号Ｂ2（レベル：Ｌ）を非優先ビジー信号共通線ＢＣに出力する（ｄ1）。この非優先ビジー信号共通線ＢＣ上の擬似非優先ビジー信号Ｂ（レベル：Ｌ）は、非優先ビジー信号Ｂ（レベル：Ｌ）とは区別がつかない。
【００７２】
ここで、擬似非優先ビジー信号について説明する。従来例を示す図11では、チャネルｃｈ2を使用しているデジタル・トランク・ユニットＤＴ2は、1回目のビジー・チェックで非優先ビジー信号共通線ＢＣを調べて１回目のビジーでない状態（レベル：Ｈ）を検出（ｃ1）する。さらに2回目のビジー・チェックで2回目のビジーでない状態を検出（ｃ2）して、はじめてチャネルｃｈ2を使用しているデジタル・トランク・ユニットＤＴ2は、非優先ビジー信号Ｂ2を非優先ビジー信号共通線ＢＣに出力し（ｄ2）、チャネルｃｈ2はマスター・クロック源となることができる。
【００７３】
ところが、本願発明を説明する図2においては、1回目のビジー・チェックで優先ビジー信号共通線ＢＰＣを調べて１回目のビジーでない状態を検出（ｃ1）すると、チャネルｃｈ2Ｐを使用している優先デジタル・トランク・ユニットＤＴ2Ｐは、擬似非優先ビジー信号Ｂ2（レベル：Ｌ）を非優先ビジー信号共通線ＢＣに出力する（ｄ1）。すなわち、この擬似非優先ビジー信号動作処理によって非優先ビジー信号共通線ＢＣはビジー（レベル：Ｌ）状態になる。
【００７４】
すると非優先ビジー信号共通線ＢＣによりビジー状態を調べている非優先デジタル・トランク・ユニットＤＴは、ビジーでない状態を検出することができなくなるから、マスター・クロック源となることができない。優先デジタル・トランク・ユニットＤＴＰ2は、この擬似非優先ビジー信号Ｂ2を出力することによって、非優先デジタル・トランク・ユニットＤＴがマスター・クロック源となることを防止している。これが擬似非優先ビジー信号動作処理の効果である。
【００７５】
このようにして優先デジタル・トランク・ユニットＤＴＰ2は、2回目のビジーでない状態を検出し（ｃ2）、非優先ビジー信号共通線ＢＣおよび優先ビジー信号共通線ＢＰＣをドライブ（レベルをＬに）して、チャネルｃｈ2Ｐは、マスター・クロック源となることができる。チャネルｃｈ2Ｐの優先デジタル・トランク・ユニットＤＴＰ2は、安定した高精度のマスター・クロック候補ＭＣＣ2をマスター・クロックＭＣとして送出することができる。
【００７６】
このマスター・クロックＭＣを受けたシステム・タイミング制御ユニット21は、すべてのデジタル・トランク・ユニットＤＴで使用するサンプリング・タイミング基準信号ＳＴを、マスター・クロックＭＣに精度良く同期させることができる。
【００７７】
図2において、優先チャネルｃｈ8Ｐはクロック抽出に成功して、マスター・クロック候補となっており、１回目のビジー・チェックにおいては、優先ビジー信号共通線ＢＰＣはビジーでない状態（レベル：Ｈ）を検出（ｃ1）する。2回目のビジー・チェックにおいては、優先ビジー信号共通線ＢＰＣは優先デジタル・トランク・ユニットＤＴＰ2によってビジー状態（レベル：Ｌ）となっているから、2回目のビジーでない状態（レベル：Ｈ）を検出することはできない。
【００７８】
2回目のビジー・チェックは１回目のビジー・チェックと同じチャネルｃｈからスタートする必要性はないが、図面上の表現および説明の便宜上から、図2においては１回目および2回目のビジー・チェック・スタートＣＳはともにチャネルｃｈ1Ｐからとした。
【００７９】
このようにして、優先チャネルｃｈ8Ｐ（優先デジタル・トランク・ユニットＤＴＰ8）はマスター・クロック源となることができず、優先チャネルｃｈ2Ｐ（優先デジタル・トランク・ユニットＤＴＰ2）だけがマスター・クロック源となる。図2においては、ビジー・チェック・スタートＣＳがチャネルｃｈ1Ｐの先頭であった。
【００８０】
もし、このビジー・チェック・スタートＣＳの時点が、チャネルｃｈ3Ｐの先頭からチャネルｃｈ8Ｐの先頭までの間に発生していたならば、マスター・クロック源となるのは、優先チャネルｃｈ2Ｐではなくて、優先チャネルｃｈ8Ｐとなっていた。ビジー・チェック・スタートＣＳ時点の設定により、マスター・クロック源となる優先チャネルｃｈを選択することが可能である。
【００８１】
図3は、図1の回路構成において、マスター・クロック源がクロック抽出不能となったときのタイムチャートである。図2，図11〜15に用いた記号により表される事項に同じものについては、同じ記号を用いている。各デジタル・トランク・ユニットＤＴにおけるビジー・チェックは、システム・タイミング制御ユニット21により所定の手順で実行される。たとえば、チャネルｃｈ6の先頭がビジー・チェック・スタートＣＳとなる場合は、チャネルｃｈ6を先頭にしてチャネルｃｈ7，8Ｐ，・・・15，0，1Ｐ，・・・，5と進み、再びチャネルｃｈ6からのビジー・チェックをする。
【００８２】
図3では、チャネルｃｈ2Ｐがクロック抽出に2回連続して成功し、マスター・クロック源となっていた。しかし、何等かの理由（たとえば、デジタル・トランク・ユニットＤＴ2Ｐの電源オフ）により、クロック抽出が不能となって非優先ビジー信号共通線ＢＣおよび優先ビジー信号共通線ＢＰＣへの出力をしないドライブ・ストップ（ｄｓ）をする。チャネルｃｈ7と13Ｐは、すでにデジタル回線Ｄよりクロックを抽出することに成功してマスター・クロック候補となっている。
【００８３】
非優先ビジー信号共通線ＢＣおよび優先ビジー信号共通線ＢＰＣに非優先ビジー信号Ｂおよび優先ビジー信号ＢＰを出力しているチャネルｃｈ、すなわちデジタル・トランク・ユニットＤＴは存在しておらず、非優先ビジー信号共通線ＢＣおよび優先ビジー信号共通線ＢＰＣは、ビジーではない（レベル：Ｈ）と仮定する。
【００８４】
チャネルｃｈ6の先頭でビジー・チェック・スタートＣＳすると、チャネルｃｈ6はマスター・クロック候補とはなっていない。つぎにマスター・クロック候補となっているチャネルｃｈ7は、非優先ビジー信号共通線ＢＣを調べて１回目のビジーでない状態を検出（ｃ1）する。チャネルｃｈ8Ｐ〜12はマスター・クロック候補とはなっていない。チャネルｃｈ13Ｐはマスター・クロック候補となっている。チャネルｃｈ13Ｐ（優先デジタル・トランク・ユニットＤＴＰ13）は１回目のビジー・チェックで優先ビジー信号共通線ＢＰＣがビジーではない（レベル：Ｈである）ことを検出して（ｃ1）、非優先ビジー信号共通線ＢＣに擬似非優先ビジー信号を出力して（ｄ1）レベルをＬにする。チャネルｃｈ14，15，0〜5は、マスター・クロック候補ではない。
【００８５】
そこで2回目のビジー・チェック・スタートＣＳをする。１回目と同様に、チャネルｃｈ6はマスター・クロック候補とはなっていない。チャネルｃｈ7は非優先ビジー信号共通線ＢＣが擬似非優先ビジー信号によりビジー（レベル：Ｌ）であることを検出する。ここで非優先チャネルｃｈ7には、非優先ビジー信号共通線ＢＣのレベルがＬであることの原因が、擬似非優先ビジー信号によるものか、それとも非優先ビジー信号によるものか、の区別はつかない。したがって、非優先チャネルｃｈ7は、ビジーでないことを2回続けて検出することはできない。
【００８６】
つぎに、擬似非優先ビジー信号を出力している優先チャネルｃｈ13Ｐは、優先ビジー信号共通線ＢＰＣを調べて、2回目のビジーでない状態を検出（ｃ2）する。そこで優先チャネルｃｈ13Ｐを使用している優先デジタル・トランク・ユニットＤＴＰ13は、非優先ビジー信号Ｂ13を非優先ビジー信号共通線ＢＣに、さらに優先ビジー信号共通線ＢＰＣに優先ビジー信号ＢＰ13を出力し（ｄ2）、優先チャネルｃｈ13Ｐはマスター・クロック源となる。非優先ビジー信号共通線ＢＣおよび優先ビジー信号共通線ＢＰＣはビジー（レベル：Ｌ）となる。
【００８７】
チャネルｃｈ14Ｐ，15，0，1Ｐ〜3Ｐ，4，5はマスター・クロック候補とはなっていない。このようにして、優先チャネルｃｈ13Ｐ（を使用している優先デジタル・トランク・ユニットＤＴＰ13）は、マスター・クロック源となり、システム・タイミング制御ユニット21は、このマスター・クロック源からのマスター・クロックＭＣに位相同期させたサンプリング・タイミング基準信号ＳＴを作成し、各デジタル・トランク・ユニットＤＴに供給している。
【００８８】
2回目のビジー・チェックは１回目のビジー・チェックと同じチャネルｃｈからスタートする必要性はないが、図面上の表現および説明の便宜上から、図3においては１回目および2回目のビジー・チェック・スタートＣＳはともにチャネルｃｈ6からとした。
【００８９】
図4は、図1の回路構成において、非優先チャネルがマスター・クロック源となっている場合の優先チャネルの作用を示すタイムチャートである。非優先チャネルｃｈ（非優先デジタル・トランク・ユニットＤＴが使用）がマスター・クロック源となるのは、優先チャネルｃｈ（優先デジタル・トランク・ユニットＤＴＰが使用）が動作しておらずマスター・クロック候補となっていない場合である。
【００９０】
チャネルｃｈ6の先頭でビジー・チェック・スタートＣＳすると、チャネルｃｈ6はマスター・クロック候補とはなっていない。つぎにチャネルｃｈ7は、すでにマスター・クロック源になっており、非優先ビジー信号共通線ＢＣに非優先ビジー信号Ｂ7を出力している。チャネルｃｈ8Ｐ〜12は、マスター・クロック候補とはなっていない。優先チャネルｃｈ13Ｐはマスター・クロック候補となっている。
【００９１】
優先チャネルｃｈ13Ｐ（優先デジタル・トランク・ユニットＤＴＰ13）は１回目のビジー・チェックで優先ビジー信号共通線ＢＰＣがビジーではない（レベル：Ｈ）ことを検出して（ｃ1）、非優先ビジー信号共通線ＢＣに擬似非優先ビジー信号を出力して（ｄ1）レベルをＬにする。チャネルｃｈ14，15，0〜5は、マスター・クロック候補ではない。
【００９２】
そこで2回目のビジー・チェック・スタートＣＳをする。１回目と同様に、チャネルｃｈ6はマスター・クロック候補とはなっていない。チャネルｃｈ7は非優先ビジー信号共通線ＢＣが擬似非優先ビジー信号によりビジー（レベル：Ｌ）であることを検出する。ここでチャネルｃｈ7には、非優先ビジー信号共通線ＢＣのレベルがＬであることの原因が、擬似非優先ビジー信号によるものか、それとも非優先ビジー信号によるものか、の区別はつかない。したがって、チャネルｃｈ7は、非優先ビジー信号の出力をドライブ・ストップｄｓする。それと同時にチャネルｃｈ7はマスター・クロック源ではなくなり、チャネルｃｈ7を使用しているデジタル・トランク・ユニットＤＴ7は、マスター・クロック候補ＭＣＣ7の出力を停止する。
【００９３】
つぎに、擬似非優先ビジー信号を出力している優先チャネルｃｈ13Ｐは、優先ビジー信号共通線ＢＰＣを調べて、2回目のビジーでない状態を検出（ｃ2）する。そこで優先チャネルｃｈ13Ｐを使用している優先デジタル・トランク・ユニットＤＴＰ13は、非優先ビジー信号Ｂ13を非優先ビジー信号共通線ＢＣに、さらに優先ビジー信号共通線ＢＰＣに優先ビジー信号ＢＰ13を出力し（ｄ2）、優先チャネルｃｈ13Ｐを使用している優先デジタル・トランク・ユニットＤＴＰ13は、マスター・クロック源となる。非優先ビジー信号共通線ＢＣおよび優先ビジー信号共通線ＢＰＣはビジー（レベル：Ｌ）となる。
【００９４】
チャネルｃｈ14Ｐ，15，0，1Ｐ〜3Ｐ，4，5はマスター・クロック候補とはなっていない。このようにして、優先チャネルｃｈ13Ｐ（を使用しているデジタル・トランク・ユニットＤＴＰ13）は、非優先チャネルｃｈ7に代わってマスター・クロック源となり、システム・タイミング制御ユニット21は、このマスター・クロック源からのマスター・クロックＭＣに位相同期したサンプリング・タイミング基準信号ＳＴを作成し、各デジタル・トランク・ユニットＤＴに供給している。
【００９５】
2回目のビジー・チェックは１回目のビジー・チェックと同じチャネルｃｈからスタートする必要性はないが、図面上の表現および説明の便宜上から、図4においては１回目および2回目のビジー・チェック・スタートＣＳはともにチャネルｃｈ6からとした。
【００９６】
以上の説明から明らかなように、複数の優先チャネルｃｈが存在する場合には、ビジー・チェック・スタートＣＳ後の最初のマスター・クロック候補が、マスター・クロック源として最も選択され易くなる。そこで、ビジー・チェック・スタートＣＳ時点を、最も望ましい（精度の高い）デジタル・トランク・ユニットＤＴＰの使用する優先チャネルｃｈの直前に設定するならば、そのデジタル・トランク・ユニットＤＴＰがマスター・クロック源となる確率は、最も大きくなる。
【００９７】
図5は、図1の重要な構成要素であるシステム・タイミング制御ユニット21の内部構成を示す回路構成図である。ここで、図16に対応する要素については、対応する記号を付してある。そこには、サンプリング・タイミング基準信号ＳＴを作成する作成回路と、ビジー・チェック・スタートＣＳ時点を制御する制御部が含まれているが、この制御部に関しては、従来公知の技術であり本願発明において重要ではないのでので、図示することは省略する。
【００９８】
作成回路は、フェーズ・ロック・ループ（ＰＬＬ）動作をするデジタルＰＬＬ回路22を含んでいる。デジタルＰＬＬ回路22は、図16に示したデジタルＰＬＬ回路22Ｂよりも高い精度で位相同期できるものを使用している点が特徴である。マスター・クロックＭＣを印加されたデジタルＰＬＬ回路22は、マスター・クロックＭＣに十分な高精度で位相同期して、サンプリング・タイミング基準信号ＳＴを発生している。このサンプリング・タイミング基準信号ＳＴは、各デジタル・トランク・ユニットＤＴ0〜ｎにおける動作のタイミングとして使われる基準信号である。本発明によるマスター・クロック調停装置に要求される十分な高精度で位相同期可能なデジタルＰＬＬ回路22を採用している。
【００９９】
図6は、図1の重要な構成要素である優先デジタル・トランク・ユニットＤＴＰの内部構成を示す回路構成図である。優先デジタル・トランク・ユニットＤＴＰには、デジタル回線インタフェース31、トランク・アービタ32および優先度判別器33が含まれている。デジタル回線インタフェース31は、デジタル回線Ｄ（たとえば、ＩＮＳ1500）からのデジタル信号とＰＣＭ信号ＰＣＭとの間のインタフェースをし、サンプリング・タイミング基準信号ＳＴのタイミングで同期用の周期信号ＳＹを作成している。周期信号ＳＹの周期は、たとえば、15.625μｓである。
【０１００】
優先度判別器33は、優先ビジー信号ＢＰと非優先ビジー信号Ｂおよびサンプリング・タイミング基準信号ＳＴを受けて、優先ビジー信号ＢＰが優先ビジー信号共通線ＢＰＣに存在しないことを１回目のビジー・チェックで検出した場合には、非優先ビジー信号共通線ＢＣに擬似非優先ビジー信号Ｂを出力し、続く2回目のビジー・チェックで検出した場合には、非優先ビジー信号Ｂおよび優先ビジー信号ＢＰを、非優先ビジー信号共通線ＢＣおよび優先ビジー信号共通線ＢＰＣに出力する。さらに、マスター・クロック候補ＭＣＣをマスター・クロックＭＣとして出力することを指示するための判別されたビジー信号ＳＢを出力する。
【０１０１】
トランク・アービタ32は、判別されたビジー信号ＳＢおよびサンプリング・タイミング基準信号ＳＴを受けて、周期信号ＳＹに同期してマスター・クロック候補ＭＣＣをマスター・クロックＭＣとして出力する。このようにして、優先度判別器33は、優先ビジー信号ＢＰと非優先ビジー信号Ｂおよび擬似非優先ビジー信号とをオン（レベル：Ｌ）にして、優先ビジー信号共通線ＢＰＣと非優先ビジー信号共通線ＢＣに送出し、マスター・クロック源となる。
【０１０２】
図7および図8は、図1の重要な機能であるマスター・クロック選択機能の動作の流れを示すフローチャートである。マスター・クロック選択機能が動作を開始すると、非優先ビジー信号共通線ＢＣを調べて、非優先ビジー信号Ｂが存在する場合には最先の非優先ビジー信号Ｂに対応するマスター・クロック候補ＭＣＣを基にしてマスター・クロックＭＣを選択する（Ｓ1、図7）。
【０１０３】
優先ビジー信号共通線ＢＰＣと非優先ビジー信号共通線ＢＣとを調べて、優先ビジー信号ＢＰが存在する場合には（Ｓ2Ｙ）、優先ビジー信号ＢＰに対応したマスター・クロック候補ＭＣＣを選択すべきか否かを調べる（Ｓ3）。選択すべきである場合は（Ｓ3Ｙ）、優先ビジー信号ＢＰをオンにしている優先デジタル・トランク・ユニットＤＴＰの出力しているマスター・クロック候補ＭＣＣの有無をチェックする（Ｓ4）。
【０１０４】
そのマスター・クロック候補ＭＣＣが存在する場合には（Ｓ5Ｙ）、マスター・クロック候補ＭＣＣの抽出作業に入るが、その作業が１回不成立になると（Ｓ6Ｙ、図8）、該当する優先デジタル・トランク・ユニットＤＴＰから、優先ビジー信号ＢＰと非優先のビジー信号Ｂを出力する（Ｓ7）。つぎのマスター・クロックＭＣの更新時期に達すると（Ｓ8Ｙ）、該当する優先デジタル・トランク・ユニットＤＴＰのマスター・クロック候補ＭＣＣをマスター・クロックＭＣとして動作し、一連の動作を終了し（Ｓ10Ｙ）、ステップＳ1の動作にもどる。
【０１０５】
以上の動作から明らかなように、ＰＢＸシステム中に少なくとも１つの優先デジタル・トランク・ユニットＤＴＰが混在して動作しているならば、安定で精度の高いマスター・クロックＭＣを得ることができる。かりに、優先デジタル・トランク・ユニットＤＴＰのすべてが、電源オフなどにより動作していない場合であっても、非優先デジタル・トランク・ユニットＤＴからマスター・クロックＭＣを得ることができ、従来のＰＢＸシステムと同じ動作をすることができるから、支障を生じることはない。
【図面の簡単な説明】
【０１０６】
【図１】本願発明の実施例を示した回路構成図である。（実施例1）
【図２】図1の回路構成において、ビジーでないことを1回検出したら擬似非優先ビジー信号を非優先ビジー信号共通線に出力する場合のタイムチャートである。
【図３】図1の回路構成において、マスター・クロック源がクロック抽出不能となったときのタイムチャートである。
【図４】図1の回路構成において、非優先チャネルがマスター・クロック源となっている場合の優先チャネルの作用を示すタイムチャートである。
【図５】図1の重要な構成要素であるシステム・タイミング制御ユニットの内部構成を示す回路構成図である。
【図６】図1の重要な構成要素であるデジタル・トランク・ユニットの内部構成を示す回路構成図である。
【図７】図1の重要な機能であるマスター・クロック選択機能の動作の流れを示すフローチャートである。
【図８】図7とともに、図1の重要な機能であるマスター・クロック選択機能の動作の流れを示すフローチャートである。
【図９】従来のマスター・クロック調停の概念を説明するためのマスター・クロック調停概念図である。
【図１０】従来のマスター・クロック調停装置の回路構成図である。
【図１１】図10の回路構成において、ビジーでないことを2回検出したら非優先ビジー信号を非優先ビジー信号共通線に出力する場合のタイムチャートである。
【図１２】図10の回路構成において、ビジー・チェック・スタート時点とマスター・クロック源の関係を表すタイムチャートである。
【図１３】図10の回路構成において、マスター・クロック源がクロック抽出不能となったときのタイムチャートである。
【図１４】図10の回路構成において、特定のチャネルをマスター・クロック源として選択できない理由を示すタイムチャートである。
【図１５】図10の回路構成において、マスター・クロック源のチャネルがクロック抽出不能となったときのマスター・クロック源チャネルの選択をする場合のタイムチャートである。
【図１６】従来のシステム・タイミング制御ユニットの内部構成を示す回路構成図である。
【図１７】従来のデジタル・トランク・ユニットの内部構成を示す回路構成図である。
【符号の説明】
【０１０７】
21，21Ｂ  システム・タイミング制御ユニット
22  デジタルＰＬＬ回路 
31  デジタル回線インタフェース
32  トランク・アービタ
33  優先度判別器
41Ｂ  マスター・クロック選択機能
Ｂ  非優先ビジー信号
ＢＣ  非優先ビジー信号共通線
ＢＰ  優先ビジー信号
ＢＰＣ  優先ビジー信号共通線
Ｄ  デジタル回線
ＤＴ0〜ｎ  非優先デジタル・トランク・ユニット
ＤＴＰ1，2  優先デジタル・トランク・ユニット
ＭＣ  マスター・クロック
ＭＣＣ0〜ｎ  マスター・クロック候補
ＰＣＭ  ＰＣＭ信号
ＳＢ  判別されたビジー信号
ＳＴ  サンプリング・タイミング基準信号
ＳＹ  周期信号
【図１】
2009016992.tif 000003
【図２】
2009016992.tif 000004
【図３】
2009016992.tif 000005
【図４】
2009016992.tif 000006
【図５】
2009016992.tif 000007
【図６】
2009016992.tif 000008
【図７】
2009016992.tif 000009
【図８】
2009016992.tif 000010
【図９】
2009016992.tif 000011
【図１０】
2009016992.tif 000012
【図１１】
2009016992.tif 000013
【図１２】
2009016992.tif 000014
【図１３】
2009016992.tif 000015
【図１４】
2009016992.tif 000016
【図１５】
2009016992.tif 000017
【図１６】
2009016992.tif 000018
【図１７】
2009016992.tif 000019